(57)【要約】      （修正有）【課題】多数こま切れに配置されている太陽光パネルの洗浄作業を、連続的に効率よく洗浄することを可能にする太陽光パネルの洗浄方法、及び、それに用いる橋渡しプレートを提供する。【解決手段】こま切れ状態に配置されている多数の太陽光パネル２１，２２を、その上を洗浄機を走行させながら連続的に洗浄するために、太陽光パネル２１，２２間に橋渡しプレート１を架け渡す。橋渡しプレート１は、一側辺側に、橋渡しされる２つの太陽光パネルのうちの一方に取り付けるための取付手段４を有し、他側辺側に他方の太陽光パネルに取り付けるための取付手段を備える。【選択図】図１
2020145873.tif 000002
【特許請求の範囲】
【請求項１】
こま切れ状態に配置されている複数の太陽光パネルを、その上を洗浄機を走行させながら連続的に洗浄するための方法であって、
隣接する２つの前記太陽光パネル間に橋渡しプレートを架け渡し、一方の太陽光パネルを洗浄した前記洗浄機を、前記橋渡しプレートを介して他方の太陽光パネルに乗り移させて前記他方の太陽光パネルの洗浄を行うことを特徴とする太陽光パネルの洗浄方法。
【請求項２】
２つの前記太陽光パネルの高さが異なる場合、前記橋渡しプレートは斜めに架け渡される、請求項１に記載の太陽光パネルの洗浄方法。
【請求項３】
こま切れ状態に配置されている複数の太陽光パネルを、その上を洗浄機を走行させながら連続的に洗浄するために前記太陽光パネル間に架け渡される橋渡しプレートであって、
前記橋渡しプレートは、一側辺側に、橋渡しされる２つの前記太陽光パネルのうちの一方に取り付けるための取付手段を有し、他側辺側に他方の前記太陽光パネルに取り付けるための取付手段を備えていることを特徴とする橋渡しプレート。
【請求項４】
前記２つの太陽光パネルの間隔に応じて幅方向に伸縮可能である、請求項３に記載の太陽光パネル連続洗浄用橋渡しプレート。
【請求項５】
前記橋渡しプレートは一部が重なり合うように配置される第１プレートと第２プレートの２枚のプレートから成り、
前記第１プレートと第２プレートの裏面にはアングル材が固定され、各アングル材の垂直部にそれぞれアジャスターがねじ付けられ、また、前記第１プレートの裏面にロック手段付き軸受が設置されると共に、前記第２プレートの前記アングル材の垂直部に、水平方向に伸びて前記軸受に摺動自在に挿通されるスライド軸が設置され、前記スライド軸は、前記ロック手段によるロック状態のときに前記軸受に対して摺動不可となる、請求項３又は４に記載の太陽光パネル連続洗浄用橋渡しプレート。
【請求項６】
前記アジャスターはロータリープレインタイプである、請求項５に記載の太陽光パネル連続洗浄用橋渡しプレート。
【発明の詳細な説明】
【技術分野】
【０００１】
本発明は、太陽光パネルの洗浄方法及びそれに用いる橋渡しプレートに関するものであり、より詳細には、広大な土地に多数の太陽光パネルを並置して太陽光発電を行うメガソーラーのような、比較的大規模な太陽光発電施設において、太陽光パネルの洗浄を効率よく行うための方法及びそれに用いる橋渡しプレートに関するものである。
【背景技術】
【０００２】
近年、エネルギーを取り巻く情勢の変化により再生可能エネルギーへの関心が高まっており、その１つである太陽光発電については、自治体、民間企業の主導により、遊休地、堤防、埋立地等を利用しての大規模な太陽光発電施設が建設されている。言うまでもなく、太陽光パネルは屋外に設置されて風雨に晒されるため、塵埃、黄砂、花粉、鳥の糞等が付着することは避けられない。その結果、発電能力の低下を招くおそれがあるため、定期的に太陽光パネルを洗浄する必要がある。
【０００３】
太陽光パネルの洗浄機器としては、小型のものから大型のものまで、種々のものが提案されている（特許文献１−３）。そのうち、小型のものについては取り扱いが簡便で特に問題はないが、一度に広面積の太陽光パネルの洗浄を行う大型の洗浄機の場合は、扱いに難がある。即ち、太陽光パネルの配置態様は各発電施設においてまちまちで、各列の端から端まで一連に配置される場合もあるが、多くの場合は、途中通り抜けを可能にするために、１０〜７０ｃｍほどの範囲の間隔にて、こま切れ状態に配置されている。また、隣接する太陽光パネル同士が、同じ高さである場合と段差のある場合とがある。
【０００４】
こま切れ状態に配置されている太陽光パネルを洗浄する場合は、１つの太陽光パネルの洗浄終了後、洗浄機を隣の太陽光パネルに移す作業が必要となるが、例えば、非特許文献１に記載の自走式洗浄機は、４〜６台の洗浄ユニットを連結して成る重量の嵩むものであるため、その洗浄機移送作業はかなりの力仕事になる。また、この非特許文献１に記載の自走式洗浄機の場合は、１つの太陽光パネルの洗浄終了後、一旦４〜６台の洗浄ユニットに分解し隣の太陽光パネル上に運び、そこで再組立するようにすることもできるが、その場合は分解・組立に時間と手間がかかり、その分コストアップとなる。
【先行技術文献】
【特許文献】
【０００５】
【特許文献１】特開２０１９−５４２２号公報
【特許文献２】特開２０１８−１１４４３１号公報
【特許文献３】特開２０１７−４２６９３号公報
【非特許文献】
【０００６】
【非特許文献１】http://sap-solar.jp/pvcleaner/index.html
【発明の概要】
【発明が解決しようとする課題】
【０００７】
本発明は、上記広面積の太陽光パネルの洗浄を行う大型の自走式洗浄機の使用上生ずる問題を解決するためになされたもので、メガソーラーのような、比較的大規模な太陽光発電施設において、重量の嵩む大型の自走式洗浄機の太陽光パネル間移送を、人的作業によることなく簡単に行うことを可能にし、以て、多数こま切れに配置されている太陽光パネルの洗浄作業を、連続的に効率よく洗浄することを可能にする太陽光パネルの洗浄方法、及び、それに用いる橋渡しプレートを提供することを課題とする。
【課題を解決するための手段】
【０００８】
上記課題を解決するための請求項１に記載の発明は、こま切れ状態に配置されている多数の太陽光パネルを、その上を洗浄機を走行させながら連続的に洗浄するための方法であって、
隣接する２つの前記太陽光パネル間に橋渡しプレートを架け渡し、一方の太陽光パネルを洗浄した前記洗浄機を、前記橋渡しプレートを介して他方の太陽光パネルに乗り移させて前記他方の太陽光パネルの洗浄を行うことを特徴とする太陽光パネルの洗浄方法である。
【０００９】
一実施形態においては、２つの前記太陽光パネル間に段差がある場合、前記橋渡しプレートは斜めに架け渡される。
【００１０】
上記課題を解決するための請求項３に記載の発明は、こま切れ状態に配置されている複数の太陽光パネルを、その上を洗浄機を走行させながら連続的に洗浄するために前記太陽光パネル間に架け渡される橋渡しプレートであって、
前記橋渡しプレートは、一側辺側に、橋渡しされる２つの前記太陽光パネルのうちの一方に取り付けるための取付手段を有し、他側辺側に他方の前記太陽光パネルに取り付けるための取付手段を備えていることを特徴とする橋渡しプレートである。
【００１１】
一実施形態においては、前記２つの太陽光パネルの間隔に応じて幅方向に伸縮可能にされる。
【００１２】
一実施形態においては、前記橋渡しプレートは一部が重なり合うように配置される第１プレートと第２プレートの２枚のプレートから成り、前記第１プレートと第２プレートの裏面にはアングル材が固定され、各アングル材の垂直部にそれぞれアジャスターがねじ付けられ、また、前記第１プレートの裏面にロック手段付き軸受が設置されると共に、前記第２プレートの前記アングル材の垂直部に、水平方向に伸びて前記軸受に摺動自在に挿通されるスライド軸が設置され、前記スライド軸は、前記ロック手段によるロック状態のときに前記軸受に対して摺動不可となる。アジャスターとして、ロータリープレインタイプのものが用いられることもある。
【発明の効果】
【００１３】
本発明は上記のとおりであって、メガソーラーのような、比較的大規模な太陽光発電施設において、重量の嵩む大型の自走式洗浄機の太陽光パネル間移送を、人的作業によることなく、単に太陽光パネル間に、その間隔に合わせた橋渡しプレートを架け渡すだけで簡単に行うことが可能であり、以て、多数こま切れに配置されている太陽光パネルの洗浄作業を、連続的に効率よく洗浄することが可能となる効果がある。
【図面の簡単な説明】
【００１４】
【図１】本発明に係る橋渡しプレートの使用状態を示す斜視図である。
【図２】本発明に係る橋渡しプレートの使用状態を示す裏面図である。
【図３】本発明に係る橋渡しプレートの太陽光パネル間架け渡し方法の第１工程を示す図である。
【図４】本発明に係る橋渡しプレートの太陽光パネル間架け渡し方法の第２工程を示す図である。
【図５】本発明に係る橋渡しプレートの他の使用状態を示す斜視図である。
【図６】本発明に係る橋渡しプレートの他の太陽光パネル間架け渡し方法の第２工程を示す図である。
【図７】図４におけるＡ−Ａ線断面図である。
【図８】図４におけるＢ−Ｂ線断面図である。
【図９】本発明に係る橋渡しプレートを用いた太陽光パネルの洗浄方法を示す斜視図である（洗浄機乗り移り前）。
【図１０】本発明に係る橋渡しプレートを用いた太陽光パネルの洗浄方法を示す斜視図である（洗浄機乗り移り中）。
【図１１】本発明に係る橋渡しプレートを用いた太陽光パネルの洗浄方法を示す斜視図である（洗浄機乗り移り後）。
【発明を実施するための形態】
【００１５】
本発明を実施するための形態について、添付図面に依拠して説明する。本発明に係る太陽光パネルの洗浄方法は、こま切れ状態に配置されている多数の太陽光パネルを、その上を洗浄機を走行させながら連続的に洗浄するための方法であって、隣接する２つの太陽光パネル間に橋渡しプレートを架け渡し、一方の太陽光パネルを洗浄した洗浄機を、橋渡しプレートを介して他方の太陽光パネルに乗り移させて、他方の太陽光パネルの洗浄を行うことを特徴とするものである。
【００１６】
本発明に係る橋渡しプレート１は、上記方法を実施するために用いるものであり、多数の太陽光パネル２１，２２を、その上を洗浄機３１を走行させながら連続的に洗浄するために用いられる。橋渡しプレート１は、幅方向一側辺側に、橋渡しされる２つの太陽光パネル２１，２２のうちの一方の太陽光パネル２１に取り付けるための取付手段を有し、幅方向他側辺側に、他方の太陽光パネル２２に取り付けるための取付手段を備えることにより、太陽光パネル２１，２２間に架け渡し可能となる。
【００１７】
橋渡しプレート１は、２つの太陽光パネル２１，２２の間隔に応じて幅方向に伸縮可能に構成される。より詳細には、橋渡しプレート１は、端縁同士が重なり合うように配置される第１プレート２と第２プレート３の２枚のプレートにより構成され、第１プレート２に一方の太陽光パネル２１に対する取付手段が配備され、第２プレート３に他方の太陽光パネル２２に対する取付手段が配備される。
【００１８】
例えば、上記取付手段として、第１プレート２と第２プレート３の裏面にアングル材４，５が配備され、各アングル材４，５の垂直部にアジャスター６，７がねじ付けられる。アングル材４，５は、それにねじ付けられるアジャスター６，７のヘッドが、第１プレート２並びに第２プレート３の端縁から内に引っ込む位置に配置され、第１プレート２並びに第２プレート３の端縁が、アジャスター６，７のヘッドよりも先に伸びるようにされる。後述するように、この先に延びる部分は、太陽光パネル２１，２２の端縁への載置部１２，１３となる。アジャスター６，７は、通例、各アングル材４，５の両端部に1つずつねじ付けられる（図２参照）。
【００１９】
また、第１プレート２の裏面にロック機能付き軸受９が設置されると共に、第２プレート３のアングル材４の垂直部に、水平方向に伸びて軸受９に摺動自在に挿通されるスライド軸８が設置される。スライド軸８は断面円形であってもよいが、六角形等の多角形であることが好ましい。スライド軸８及び軸受９は、通例、２つ配設される（図２参照）。軸受９は、レバー１０の操作によってスライド軸８をロックするためのロック手段を具備する。
【００２０】
ロック手段の構成は種々考えられるが、図示した例におけるロック手段は、軸受９を二股にしてその中間部にスライド軸８を挿通して挟み付ける挿通孔１６を形成し、挿通孔１６に連通させてその下側に拡縮間隙１７を設け、拡縮間隙１７を横切るようにネジ杆１５をねじ込んで成るものである（特に図７，８参照）。ネジ杆１５は、レバー１０の軸であって、カラー１８を介在させて二股部にねじ込み、二股部の奥側の螺合部１９にねじ込まれる。
【００２１】
このロック手段の場合、レバー１０の回動操作によってネジ杆１５が回転するに伴い、拡縮間隙１７が広がり、あるいは、閉じ、広がった状態（アンロック状態）においてスライド軸８が軸受９に対して可動となり、閉じた状態（ロック状態）においては、スライド軸８は軸受９にロックされて移動不可となる。上記アンロック状態において第１プレート２に対して第２プレート３を引けば、橋渡しプレート１を幅方向に延ばすことができ、逆に、第１プレート２に対して第２プレート３を押し込めば、橋渡しプレート１を幅方向に縮めることができる。この拡縮操作は、橋渡しプレート１を太陽光パネル２１，２２間にセットする際に行う。
【００２２】
他のロック手段としては、レバー１０によって回転駆動されて、軸受９の内側壁とスライド軸８との間の隙間にこじ入れられるロック片の構成が考えられる。
【００２３】
上記構成の橋渡しプレート１を太陽光パネル２１，２２間に差し渡すに当たっては、先ず、レバー１０をアンロック側に回動させた状態で、一方の第２プレート３の載置部１３を、一方の太陽光パネル２２の縁辺上に載置する（図４参照）。そして、第２プレート３を押さえつつ、第１プレート２を他方の太陽光パネル２１側に引き出し（橋渡しプレート１の幅方向伸動作）、その載置部１２を太陽光パネル２１の縁辺上に載置する（図４参照）。
【００２４】
次いで、アジャスター６，７を、それぞれヘッドが太陽光パネル２１，２２の端面に当接するまで締め上げ、締め上がったところでレバー１０をロック側に回動させて、スライド軸８が軸受９に対して摺動不可となるようにする。かくして橋渡しプレート１は、太陽光パネル２１，２２間に突っ張り棒状態に突っ張ることにより保持される。  
【００２５】
太陽光パネル２１の上面とこれに隣接する太陽光パネル２２の上面は、水平（図１乃至図４参照）であるとは限らず、段差のある場合（図５，６参照）もあるが、その場合の橋渡しプレート１の太陽光パネル２１，２２間差し渡し操作も、上述した水平の場合と変わりはない。このような場合を想定して、アジャスター６，７としては、ねじ部が可動（首振り自在）のロータリープレインタイプのものを用いることとする。それにより、橋渡しプレート１が斜めに架け渡されても、アジャスター６，７のヘッドが太陽光パネル２１，２２の端面に倣って傾いて面接触するので、強固な突っ張り状態が維持される（図６参照）。
【００２６】
図９乃至図１１は、橋渡しプレート１を掛け渡した太陽光パネル２１，２２間における自走式の洗浄機２３の乗り移り状態を示すもので、図９は乗り移り前の状態、図１０は乗り移り中の状態、図１１は乗り移り後の状態を示している。なお、橋渡しプレート１は、太陽光パネル２１，２２の全幅に渡って架け渡す必要はなく、図９乃至図１１に示されるように、太陽光パネル２１，２２の両端に配置すれば足りる。    
【産業上の利用可能性】
【００２７】
本発明は上記のとおりであって、メガソーラーのような、比較的大規模な太陽光発電施設において、重量の嵩む大型の自走式洗浄機の太陽光パネル間移送を、人的作業によることなく、単に太陽光パネル間に、その間隔に合わせた橋渡しプレートを架け渡すだけで簡単に行うことが可能であり、以て、多数こま切れに配置されている太陽光パネルの洗浄作業を、連続的に効率よく洗浄することが可能となる効果があるものであって、その産業上の利用可能性は大である。
【符号の説明】
【００２８】
１                    橋渡しプレート
４，５                アングル材
６，７                アジャスター
８                    スライド軸
９                    軸受
１２，１３            載置部
１５                  ネジ杆
１６                  挿通孔
１７                  拡縮間隙
１８                  カラー
１９                  螺合部
２１，２２            太陽光パネル
【図１】
2020145873.tif 000003
【図２】
2020145873.tif 000004
【図３】
2020145873.tif 000005
【図４】
2020145873.tif 000006
【図５】
2020145873.tif 000007
【図６】
2020145873.tif 000008
【図７】
2020145873.tif 000009
【図８】
2020145873.tif 000010
【図９】
2020145873.tif 000011
【図１０】
2020145873.tif 000012
【図１１】
2020145873.tif 000013